(57)【要約】【課題】  突発的な洪水等の流出水による建造物等の浸水被害を防止する方法としては一部の施設等には水防扉等の装着が見受けられるが一般建造物等には是等に類する工作物等は殆ど見受けられず、洪水等の被害が予想される地域に於いては防止装置の設置が必要である。【解決の手段】  洪水等による建造物等の浸水被害を未然に防ぐ手段として流出水が建具等に到達する直前に侵入口となる建具等の屋外側に接して流出水の水位の変動に合わせ浮上しながら柔軟で弾力がある非透水性フィルムを用いて建具等の屋外側全面に展張被覆して隙間からの漏水の殆どを遮断し、漏水による屋内の浸水被害を未然に阻止したのち、洪水等の終息後に装置を初期の状態にまで戻す作業を流出水の自然力のみで行う機構の装置とし、各種の機械や人力等を一切使用せず流出水の自然力のみにより緊急時に即時稼働できる漏水遮断装置を提供するものである。【選択図】図１
2007239432.tif 000002
【特許請求の範囲】
【請求項１】
建造物の屋内外を区切る左右の壁等の間に立設したドア、シャッター（以下、建具等と言う）に洪水等の流出水が到達する直前に屋外側に接した床下に埋設した上端を床面と同面とした透水孔を設けた上蓋（以下、透水蓋と言う）から流出水を導入する導入水槽と下部を連通口とした仕切り壁を挟んだ建具の屋外側に接して、柔軟で弾力のある非透水性フィルム（以下、フィルムと言う）を収納した収納函の下部に浮上する装置の総体排水質量と吃水位置を調整する公知の発泡樹脂等の浮力材に外装を施した浮函から成る浮上函体とし、該函体を収納した収納水槽の上蓋下部に吊り下げ係止した該函体の左右端部を建具の屋外側に沿って壁等に埋設したガイド溝内に挿入した該函体とし、透水蓋から導入水槽に流入した流出水が連通口を介して両水槽内の排水能力を越え槽内水位が上昇し該函体の吃水面に達した時点で該函体が浮上し始め収納水槽内から槽外にガイド溝内を滑動浮上しながら収納水槽内壁上端に係止したフィルムを展張しながら建具の屋外側面に押し付け吃水面下では水圧も加えて建具等との隙間に圧着又は、吸着して不特定な凹凸や隙間の全てを塞ぎ漏水の殆どを遮断したあと、洪水等の終息に伴う水位の低下と共に浮上函体は下降しながらフィルムを巻き戻し収納函内に収納すると同時に浮遊漂流物等を含めた残留水等を楔型の底板とした同函体の自重で強制排除しながら収納水槽内に収納し、装置を初期の状態に戻す一連動作を流出水の自然力のみで行い屋内への浸水被害を未然に阻止する事を特徴とした漏水遮断装置。
【請求項２】
浮上函体は収納水槽上端を床面と同面とした上蓋裏面にフィルム収納函と浮函を吊り下げ収納水槽内に収納し左右端部はガイド溝に挿入し流出水位の変動に連動し吃水面を基準とした稼働を誘導する装置とし、該上蓋左右先端のガイド溝との隙間には先端に磁石を装着し下面を板バネとした略コの字型の押し縁（以下、押し縁と言う）を差し込み常時磁力で同溝面に吸着し隙間を塞いだまま稼働して塵芥の侵入を防ぐ手段とするほか、函体左右の先端及び表裏と上下の適所に球状滑り材を装着し同溝との隙間内を潤沢に滑動する形態とすると共に流出水の水位の変動に連動し吃水面を基準として上昇又は、下降する同函体の浮力とシャフトに装着した渦巻きバネを活用してフィルムを引き出し又は、巻き戻しを行うほか、圧縮コイルバネに装着した誘導ローラーと押付けローラーを連携してフィルム面に微妙な圧力を加えながら建具等の外面に圧着又は、吸着して弛みや皺等の発生を抑制しながら展張できる事を特徴とした請求項１記載の漏水遮断装置。
【発明の詳細な説明】
【技術分野】
【０００１】  洪水等の流出水が建造物の出入口建具等に到達する直前に流出水の水圧を利用し建具等の外側から全面的にフィルムを展張しながら圧着又は、吸着して不特定な凹凸や隙間を塞ぎ漏水を遮断し流出水による屋内への浸水被害を阻止する漏水遮断装置に関する。【０００２】  装置は耐水圧を基準とした建具等を考慮したものであり、通常の耐風圧を基準とした建具等に付いては裏面の負圧側等の有効部位に適した補強部材を装着すれば該装置を使用できるものとした。
【背景技術】
【０００３】  洪水等の流出水による建造物内への浸水被害防止策としては浸入が予想される開口部等を板材等を用いて閉塞するか土嚢等を積み重ねる等して浸水を防ぐ方法が殆どで、隙間の漏水防止には公知のガスケットやシール処理等方法が一般的であるが突発的な洪水等による流出水等の漏水遮断対策には適さない方法である（例えば、特許文献１参照）。
【特許文献１】  特開平２００２−２４２４８１号  公報
【発明の開示】
【発明が解決しようとする課題】
【０００４】  以上のごとく、洪水等の発生による低地に於ける建造物等への流出水による浸水被害を阻止する為、一般的には屋内等への出入口近傍の壁等に溝を開設し浸水が予想される時点人手を用いて板材等を同溝に嵌め込む装置等が存在するが該装置では漏水を伴う浸水は阻止できず周囲に土嚢等を積み上げる等多くの人手を必要とする作業と時間を必要とし突発的な洪水等に対処する事は殆ど不可能である。【０００５】  そして、本発明は建造物の出入口等の建具等からの浸水被害を人為的手段によらず流出水が屋内に浸入する直前に水圧を利用し装置を稼働して建具等の隙間からの漏水を殆ど遮断し浸水被害を阻止する装置を床下等に配設し時間や場所等を問わず人手や機械類等を一切使用せず水の自然力のみで稼働する事を目的とした装置である。
【課題を解決するための手段】
【０００６】  また、本発明は上記の目的を達成するため屋内外を区切る建具等の外側に接した床下に浮上函体を収納した収納水槽と下部に排水口兼用の連通口を設けた仕切り壁を挟み流出水の導入水槽を配設し、流出水が建具等に到達する直前に導入水槽に導入し同槽の排水管がら排水能力を越え槽内水位が上昇し連通口を経て収納水槽内の水位も連動して上昇し収納した浮上函体の吃水面に達した時点で浮上し始め同水槽を離れ左右の壁に設置したガイド溝内を建具等に沿い水平を保ち垂直に浮上し収納函から誘導ローラーを介し吃水面上部でフィルムを引き出し建具等の外側全面に押し付け吃水面下の水中では水圧も利用して隙間に圧着又は、吸着して全面を被覆し隙間からの漏水の殆どを遮断できる装置である。【０００７】  第２の課題解決手段としては、フィルムを巻き付けたシャフトの収納函と浮函とから成る浮上函体はシャフトを除き一旦分割した片方づつを建具の外側に接する左右の壁に配設した凹型のガイド溝に挿入したのち再接続して一体化しシャフトを装着し収納水槽上蓋の裏面に吊り下げた浮上函体を同水槽内に収納し流出水の水位の変動に連動し吃水面を基準として稼働するものとした。【０００８】  また、水位の変動に連動して稼働する浮上函体がガイド溝内を円滑に滑動するため同函体左右の先端と表裏の上下に球状滑り材を装着し稼働すれば振れや偏り等を抑制して常時水平を保持しながら垂直に滑動するものとした。【０００９】  そして、左右のガイド溝内を滑動する浮上函体の上蓋との隙間には先端に磁石を係止し下部は板バネとした略コの字型の押し縁を上蓋端部に嵌め込み接面をガイド溝面に吸着し隙間を塞いだまま滑動すれば隙間からの塵芥等の侵入を防ぐ事ができるものとした。【００１０】  それから、浮上函体が収納水槽内外の水位の変動と共にガイド溝内を滑動しながら浮上や下降並びに停止等の動作を自在に行なえる機構とした事により、洪水等の水位に応じた位置に於いてフィルムの展張から押し付けに至り隙間を塞ぎ漏水を遮断したあと降下して収納水槽内に再収納し初期の状態に戻す事ができる装置とした。【００１１】  第３の課題解決手段としては、フィルムの先端を収納水槽内壁上端に水平に係止し同水槽内の水位の上昇に連動して浮上し始めた同函体の引出し口からコイルバネに係止した誘導ローラーを介してフィルム面に適度な引き戻し力を与えながら引き出し吃水面上部に装着したコイルバネに係止した押付けローラーで建具面に押し付け流出水が建具に到達する直前に同函体は浮上しながらフィルムを展張し吃水面下に於いては水圧も利用して建具面と不特定な隙間に圧着又は、吸着して漏水の殆どを遮断し建具部品等の突起物にはローラーを当てず水圧のみで圧着状態としてフィルムを展張できる機構とした。【００１２】  そして、増水鎮静後の流出水の退き水に伴う水位の低下と共に建具面からシャフトに渦巻きバネを装備した巻き戻し機構と浮上函体の自重によりフィルムを引き剥がしながらガイド溝沿いに同函体壁と楔型の底板で浮遊漂流物を含む残留水等を強制排除しながら降下し収納水槽内に収納すると同時に連通口兼用の排水口を経て排水管からも排水して初期の状態に戻す一連の動作を流出水の自然力のみにより行なえる装置とした���【００１３】  上記第１の課題解決手段による作用は、建造物の出入口建具の通常使用に支障を及ぼさなず合理的に装置を稼働できる方法として装置一式を床下と左右の壁内のガイド溝に収め流出水が建具に到達する直前に導入水槽に導入した流出水が仕切り壁下部の連通口から収納水槽に流入し同水槽内の水位が上昇し収納函体の吃水面に達した時点で同函体は浮上し始め常時流出水位を上回る吃水面上に於いてフィルムを引き出しながら押付けローラーと流出水の水圧を利用して隙間を含む建具の外側面全体に展張する機構としたものである。【００１４】  第２の課題解決手段による作用は、ガイド溝の僅かなクリアランス内に浮上函体を挿入し水平且つ同溝内を垂直に滑動させるためシャフト以外の同函体を分割し左右それぞれの片方づつを同溝内に挿入してから再椄続し一体化してシャフトを装着した同函体を床面と同面とした収納水槽上蓋の裏面に吊り下げ形態として装着して同水槽内に収納し流出水の水位の変動に連動してガイド溝内を逸脱する事なく浮上又は、下降して稼働する事ができる機構とした。【００１５】  そして、浮上函体の左右の先端と表裏の上下に球体滑り材を装着し同函体の浮上に伴うガイド溝内を円滑に滑動できる形態とした。【００１６】  つぎは、ガイド溝内で浮上函体と上蓋の周囲とが接する隙間に先端に磁石を係止し下部を板バネ状とした略コの字型の押し縁を差し込み同溝面に磁石を吸着し隙間を塞いだまま滑動すれば隙間からの塵芥等の侵入を防止する事ができるものとした。【００１７】  それから、浮上函体が水位の変動に応じガイド溝内を流出水の増減に連動して自在に稼働する機構とし流出水位に合わせたフィルムの展張又は、収納作業が自動的に行え洪水等の終息による退き水に連動して同函体の自重作用で同函体外面と楔型の底板により浮遊漂流物等と残留水を強制排除しながら降下する機構とし水槽内に浮遊漂流物等や残留水が残存しない装置とした。【００１８】  第３の課題解決手段による作用は、流出水の水位の変動に連動した浮上函体の自重によりフィルムシャフトから渦巻きバネの抵抗を与えながらフィルムを引出し誘導ローラーを介して浮上函体の吃水面上部の押付けローラーで建具面に押し付けながら展張すれば孕みや皺等を抑制した状態で流出水が建具に到達する直前に同函体を水圧で浮上させながらフィルムを展張し吃水面下では水圧も利用して建具面と隙間に圧着又は、吸着して漏水の殆どを遮断し、僅かな漏出水は屋内側に於いて適切排水するものとした。【００１９】  そして、建具部品等の突起物には押付けローラーを押し付けず水圧のみにより圧着しすれば展張した全面を同圧で押し当てられるためフィルム面の異常な孕みや皺等を回避して不特定な凹凸等に対しても全体を均等に遮蔽できるものとした。【００２０】  つぎに、流出水の増水鎮静後の退き水共に低下する水位に呼応してシャフトのフィルム巻き戻し機構と浮上函体の自重を活用して建具の展張面からフィルムを引き剥がしながらガイド溝内を降下して収納水槽内に収納し初期の状態に戻す動作を水の自然圧力のみで行なえる装置とし人力や機械類等を使用しない機構とした。
【発明の効果】
【００２１】  上述したように本発明による漏水遮断装置は洪水等の流出水が建具等に到達する直前に侵入口となる建具等の屋外側の表面をフィルムを用いて全面的に覆い不特定な隙間に圧着又は、吸着して隙間からの漏水の殆どを遮断する装置を流出水の水圧のみで不測な事態にも正確に稼働して漏水による浸水を防止したのち洪水終息後の装置の初期状態に復帰までが自然に行われる機構とし、各種の機械や人力等を一切使用しない設置費用を始め維持経費等を最小限に抑制した装置を提供する事ができた。
【発明を実施するための最良の形態】
【００２２】  以下、発明の実施の形態を図１〜図７に基づいて説明する。【００２３】  図に於いて１は、上部は増水した流出水位イ１と同一面上の吃水面３１３に浮上した浮上函体３の最上部の上蓋３４とその下に収納函３２の引き出し口３３から誘導ローラー３３１を介して引き出したフィルム４を吃水面３１３の上部で押付けローラー３３３で建具屋外側Ｂ１から隙間Ｂ３等に押付けた状態と壁Ａ２やガイド溝２と建具Ｂと建具下部Ｂ２が床Ａ１に碇着した状態を示すと共に床下Ａ１１に配設した収納水槽１３と流出水イが透水蓋１１１を経て導入水槽１１に流入する経路の流出水イを鉤矢印で表わし、【００２４】  下部の導入水槽１１とその排水管１１２並びに仕切り壁１２を挟んで導入水槽１１と床Ａ１と同面とした透水蓋１１１及びフィルムを係止する水槽内壁１３１等の配置状況を表し槽内水位イ１２と収納水槽１３内に収納した浮上函体３と上蓋３４並びに吃水面３１３等の収納想定状態を一点鎖線で表した図３に示すＡ〜Ａ断面図である。【００２５】  図に於いて２は、床下Ａ１１に設置した凹型のガイド溝２と収納水槽１３に収納した上蓋３４と収納函３２及び楔型の底板３５３を擁した浮函３５とから成る浮上函体３と同水槽１３内で上昇した流出水位イ１と同函体３の吃水面３１３が同位置となった時点を一点鎖線で示した収納函３２の収納状態を示し、【００２６】  その上部は左右の壁Ａ２に設置した凹型のガイド溝２の断面と増水した流出水位イ１に連動して同位置に於いて吃水面３１３を基準として浮上した上蓋３４と収納函３２及び楔型の底板３５３を擁した浮函３５とから成る浮上函体３を同溝２内に挿入した外側面と点線で表示した建具（シャッター）Ｂの屋外側面Ｂ１に圧着したフィルム４の展張形態の概略を表した図４に示すＢ〜Ｂ断面図である。【００２７】  図に於いて３は、建具Ｂの屋外側Ｂ１の左右壁Ａ２内に設置した凹型のガイド溝２と導入水槽１１の透水蓋１１１と収納水槽１３の上蓋３４に接して建具（シャッター）Ｂと屋内外の床Ａ１等を示した平面略図にＡ〜Ａ、Ｃ〜Ｃ断面の切断位置を示した。【００２８】  図に於いて４は、床下Ａ１１に設置した導入水槽１１と仕切り壁１２及び収納水槽１３内の浮上函体３とガイド溝２の配置を示し、建具（シャッター）Ｂの立設位置を一点鎖線で表した平面略図とＢ〜Ｂ、Ｄ〜Ｄ断面の切断位置を示した。【００２９】  図に於いて５は、導入水槽１１と排水管Ａ１４及び連通口１２１並びに収納水槽１３等の底部を示す平面略図である。【００３０】  図に於いて６は、収納函３１のシャフト３４に巻付けたフィルム４を引き出し口３１４からコイルバネ３３２に装着した誘導ローラー３３１を介して引き出し、増水した流出水イ１と同一吃水面３１３上でワイヤーバネ３３４に装着した押し付けローラー３３３を用いて建具Ｂの屋外側Ｂ１面に押し付け不特定な隙間Ｂ３等の全面に展張すると同時に到達した流出水イ１の水中に於いては水の圧力イ１１も活用して圧着又は吸着して隙間Ｂ３等から水中に於い屋内側Ｂ１２への漏水イ１３を遮断する形態とし、【００３１】  上部の上蓋３２に収納函３１を吊り下げ形態として装着し下部は浮力となる発泡樹脂材３５１を調整充填した浮函３５の上部と、浮上函体３の先���をガイド溝２に挿入し稼働する形態とした図３に示すＣ〜Ｃ断面略図である。【００３２】  図に於いて７は、収納函３１の先端を左右の壁Ａ２１、２２に配設したた凹型のガイド溝２内に挿入装着した上蓋３２の先端周囲に磁石３２１１を先端に係止し下部を板バネ３２１２とした略コの字型押し縁３２１を差し込みガイド溝２との隙間Ｂ３を塞いだ状態のまま稼働する事により同溝２内に塵芥等が侵入しない機構とし、【００３３】  上蓋３２下部の収納函３１内に収納したフィルム４の巻付けシャフト３４端部の軸３２２を分割した軸受け３２３に挿入装着すると同時に巻付け巻き戻し用の渦巻きバネ３２４の内端３２４１をシャフト軸３２２に外端３２４２をを軸受け３２３に係止し浮上函体３の浮上と共に渦巻きバネ３２４の反発力を利用してフィルム４を引き出し巻き戻す機構の概要を示し、【００３４】  シャフト３２１に巻付けたフィルム４の収納断面と分割線を挟んで浮上函体３の浮力となる発泡樹脂材３３１を調整充填した浮函３と浮上函体３のガイド溝２内の稼働を円滑にする球体滑り材３３４の配設位置の概要を示した図３に示すＤ〜Ｄ断面略図である。
【図面の簡単な説明】
【００３５】
【図１】Ａ〜Ａ断面略図。
【図２】Ｂ〜Ｂ断面略図。
【図３】平面略図。
【図４】透水蓋と上蓋を取り外した導入水槽と浮上函体並びに建具の平面略図。
【図５】導入水槽と収納水槽と仕切り壁下部の連通口及び排水管位置等の平面略図。
【図６】Ｃ〜Ｃ断面略図。
【図７】Ｄ〜Ｄ断面略図。
【符号の説明】
【００３６】イ      流出水
イ１    流出水位
イ１１  水圧
イ１２  槽内水位
イ１３  漏水
イ１４  排水管
Ａ１    床
Ａ１１  床下
Ａ２    壁
Ｂ      建具等
Ｂ１    屋外側
Ｂ１２  屋内側
Ｂ２    下部
Ｂ３    隙間
１１    導入水槽
１１１  透水蓋
１２    仕切り壁
１２１  連通口
１２２  排水口
１３    収納水槽
１３１    〃  壁
２      ガイド溝
３      浮上函体
３１        先端
３１３  吃水面
３１４  球状滑り材
３２    収納函
３２１  シャフト
３２２    〃  軸
３２３  軸受け
３２４  渦巻きバネ
３２４１  〃  内端
３２４２  〃  外端
３３    引き出し口
３３１  誘導ローラー
３３２  コイルバネ
３３３  押付けローラー
３３４  コイルバネ
３４    上蓋
３４１  押し縁
３４１１磁石
３４１２板バネ
３５    浮函
３５１  発泡樹脂材
３５３  楔型の底板
４      フィルム
【図１】
2007239432.tif 000003
【図２】
2007239432.tif 000004
【図３】
2007239432.tif 000005
【図４】
2007239432.tif 000006
【図５】
2007239432.tif 000007
【図６】
2007239432.tif 000008
【図７】
2007239432.tif 000009